(57)【要約】【課題】股下部からの漏れを有効に防止することが可能なパンツ型使い捨ておむつを提供する。【解決手段】前身頃シート３２、後身頃シート３６、及び吸収性本体１４を備え、前身頃シート３２と後身頃シート３６の側縁部同士、及び前身頃シート３２と後身頃シート３６の股下下端部の一部同士が、それぞれ接合されることによって、一つのウエスト周り開口部１０、及び一対の脚周り開口部１２が形成され、吸収性本体１４は、吸収性本体１４の股下相当部が、前身頃シート３２と後身頃シート３６の股下下端部同士の股下接合部８ｂよりもウエスト周り開口部１０寄りに位置し、吸収性本体１４の股下相当部と、股下接合部８ｂとが接触しないように配置され、且つ、吸収性本体１４の前身頃側の一部が、前身頃シート３２に接合され、吸収性本体１４の後身頃側の一部が、後身頃シート３６に接合されている、パンツ型使い捨ておむつ１００。【選択図】図１
2014188109.tif 000002
【特許請求の範囲】
【請求項１】
前身頃、股下部及び後身頃の各部から構成され、
前記前身頃を構成する前身頃シート、前記後身頃を構成する後身頃シート、及び吸収性本体を備え、
前記前身頃シートと前記後身頃シートの側縁部同士、及び前記前身頃シートと前記後身頃シートの股下下端部の一部同士が、それぞれ接合されることによって、一つのウエスト周り開口部、及び一対の脚周り開口部が形成され、
前記吸収性本体は、当該吸収性本体の股下相当部が、前記前身頃シートと前記後身頃シートの前記股下下端部同士の接合部位よりも前記ウエスト周り開口部寄りに位置し、前記吸収性本体の前記股下相当部と、前記股下下端部同士の前記接合部位とが接触しないように配置され、且つ、前記吸収性本体の前記前身頃側の一部が、前記前身頃シートの肌当接面側に接合され、前記吸収性本体の前記後身頃側の一部が、前記後身頃シートの肌当接面側に接合された、パンツ型使い捨ておむつ。
【請求項２】
前記前身頃シートと前記後身頃シートの前記股下下端部同士の前記接合部位には、前記股下下端部の端縁から股上側に向かってスリット又は切り欠き部が形成され、
前記前身頃シート及び前記後身頃シートの下端が前記股下部より下方まで延出されて、一対の脚周り被覆部が形成されている、請求項１に記載のパンツ型使い捨ておむつ。
【請求項３】
前記前身頃シートと前記後身頃シートの前記股下下端部に形成された前記切り欠き部は、前記股下下端部の端縁から前記股上側に向かう方向に、前記切り欠き部の幅が狭くなるように形成されている、請求項２に記載のパンツ型使い捨ておむつ。
【請求項４】
前記前身頃シート及び前記後身頃シートの、前記吸収性本体の股下相当部よりも股下側の領域には、複数の伸縮材が、前記前身頃シート及び前記後身頃シートの一方の側縁から他方の側縁に向かう方向に沿って伸張状態で配置されており、
前記一対の脚周り被覆部が形成される領域に配置される前記伸縮材による伸縮力が、前記一対の脚周り被覆部よりも前記股上側の領域に配置される前記伸縮材による伸縮力よりも大である、請求項２又は３に記載のパンツ型使い捨ておむつ。
【発明の詳細な説明】
【技術分野】
【０００１】
本発明は、パンツ型使い捨ておむつに関する。更に詳しくは、股下部からの漏れを有効に防止することが可能なパンツ型使い捨ておむつに関する。
【背景技術】
【０００２】
使い捨ておむつは、着用者の腰周りを被包するように装着される吸収性物品であり、排泄物を吸収・保持させるための吸収体を備えている。このような使い捨ておむつとして、使い捨ておむつがパンツ型に構成されたパンツ型使い捨ておむつが提案されている（特許文献１及び２参照）。このパンツ型使い捨ておむつは、一つのウエスト開口部及び左右一対の脚周り開口部が形成されたパンツ型を呈し、その内部に吸収体を備えたものである。
【先行技術文献】
【特許文献】
【０００３】
【特許文献１】特開２００２−５２０４３号公報
【特許文献２】特開２００９−２９１４８５号公報
【発明の概要】
【発明が解決しようとする課題】
【０００４】
従来のパンツ型使い捨ておむつは、一対の脚周り開口部が、股下領域で２つ折にされた吸収体よりも腹側に配置されているため、おむつ着用中に、着用者の鼠蹊部に沿って隙間ができやすいものであった。このため、おむつの股下部からの漏れが生じやすいという問題があった。
【０００５】
また、従来のパンツ型使い捨ておむつは、着用者が、歩行や脚の曲げ伸ばしを行った場合、また、車椅子などを使用して座位姿勢が長時間続く場合に、パンツ型使い捨ておむつの太ももの裏側を覆う部位が捲れ上がって、脚周り開口部に隙間ができやすいものであった。また、座位姿勢が長時間続く場合などには、着用者の身体がずり下がる（不良な座位姿勢となる）ことで、おむつが腹側に逆にずり上がってしまい、着用者の下側臀部がはみ出た状態となり、脚周り開口部に隙間ができやすくなる。そして、上述したように、脚周り開口部に隙間ができると、おむつからの漏れが更に生じやすくなる。特に、従来のパンツ型使い捨ておむつにおいては、脚周り開口部に隙間ができた場合に、脚周りの太もも裏側からの漏れが顕著となっていた。
【０００６】
本発明は、前記のような従来技術の有する課題に鑑みてなされたものである。即ち、本発明は、股下部からの漏れを有効に防止することが可能なパンツ型使い捨ておむつを提供する。
【課題を解決するための手段】
【０００７】
本発明によれば、以下のパンツ型使い捨ておむつが提供される。
【０００８】
［１］  前身頃、股下部及び後身頃の各部から構成され、前記前身頃を構成する前身頃シート、前記後身頃を構成する後身頃シート、及び吸収性本体を備え、前記前身頃シートと前記後身頃シートの側縁部同士、及び前記前身頃シートと前記後身頃シートの股下下端部の一部同士が、それぞれ接合されることによって、一つのウエスト周り開口部、及び一対の脚周り開口部が形成され、前記吸収性本体は、当該吸収性本体の股下相当部が、前記前身頃シートと前記後身頃シートの前記股下下端部同士の接合部位よりも前記ウエスト周り開口部寄りに位置し、前記吸収性本体の前記股下相当部と、前記股下下端部同士の前記接合部位とが接触しないように配置され、且つ、前記吸収性本体の前記前身頃側の一部が、前記前身頃シートの肌当接面側に接合され、前記吸収性本体の前記後身頃側の一部が、前記後身頃シートの肌当接面側に接合された、パンツ型使い捨ておむつ。
【０００９】
［２］  前記前身頃シートと前記後身頃シートの前記股下下端部同士の前記接合部位には、前記股下下端部の端縁から股上側に向かってスリット又は切り欠き部が形成され、
前記前身頃シート及び前記後身頃シートの下端が前記股下部より下方まで延出されて、一対の脚周り被覆部が形成されている、前記［１］に記載のパンツ型使い捨ておむつ。
【００１０】
［３］  前記前身頃シートと前記後身頃シートの前記股下下端部に形成された前記切り欠き部は、前記股下下端部の端縁から前記股上側に向かう方向に、前記切り欠き部の幅が狭くなるように形成されている、前記［２］に記載のパンツ型使い捨ておむつ。
【００１１】
［４］  前記前身頃シート及び前記後身頃シートの、前記吸収性本体の股下相当部よりも股下側の領域には、複数の伸縮材が、前記前身頃シート及び前記後身頃シートの一方の側縁から他方の側縁に向かう方向に沿って伸張状態で配置されており、前記一対の脚周り被覆部が形成される領域に配置される前記伸縮材による伸縮力が、前記一対の脚周り被覆部よりも前記股上側の領域に配置される前記伸縮材による伸縮力よりも大である、前記［２］又は［３］に記載のパンツ型使い捨ておむつ。
【発明の効果】
【００１２】
本発明のパンツ型使い捨ておむつは、吸収性本体の股下相当部が、前身頃シートと後身頃シートの股下下端部同士の接合部位よりもウエスト周り開口部寄りに位置し、この吸収性本体の股下相当部と、前記股下下端部同士の接合部位とが接触しないように配置されている。そして、この吸収性本体は、吸収性本体の前身頃側の一部が、前身頃シートの肌当接面側に接合され、且つ、吸収性本体の後身頃側の一部が、後身頃シートの肌当接面側に接合されている。
【００１３】
このため、本発明のパンツ型使い捨ておむつは、着用者が着用した際に、吸収性本体の股下相当部が、着用者の股下部位に当接した状態で、前身頃シートと後身頃シートの股下側に形成される一対の脚周り開口部が、着用者の太もも部位に配置されることとなる。したがって、着用者が、歩行や脚の曲げ伸ばしなどの、股関節が大きく動く動作を行った場合においても、着用者の鼠蹊部に隙間ができにくく、股下部からの漏れを有効に防止することができる。また、車椅子などを使用して座位姿勢が長時間続く場合などには、着用者の身体がずり下がる（不良な座位姿勢となる）ことで、おむつが腹側に逆にずり上がってしまうことがあるが、本発明のパンツ型使い捨ておむつは、前身頃シートと後身頃シートの股下側に、着用者の脚周りを覆う部分が形成されるため、おむつがずり上がってしまうことがあっても、着用者の下側臀部が露出してしまうような事態が生じ難い。このため、座位姿勢が長時間続くような着用者においても、股下部からの漏れを有効に防止することができる。更に、本発明のパンツ型使い捨ておむつは、太ももの裏側を覆う部位が捲れ上がり難いため、良好な着用感を実現することができる。
【図面の簡単な説明】
【００１４】
【図１】本発明のパンツ型使い捨ておむつの実施形態１を模式的に示す平面図である。
【図２】本発明のパンツ型使い捨ておむつの実施形態１を模式的に示す斜視図である。
【図３】図２のＡ−Ａ’断面を模式的に示す断面図である。
【図４】本発明のパンツ型使い捨ておむつの実施形態２を模式的に示す平面図である。
【図５】本発明のパンツ型使い捨ておむつの実施形態３を模式的に示す平面図である。
【図６】本発明のパンツ型使い捨ておむつの実施形態４を模式的に示す平面図である。
【図７】本発明のパンツ型使い捨ておむつの実施形態５を模式的に示す平面図である。
【図８】本発明のパンツ型使い捨ておむつの製造方法の一例を概念的に示した平面図である。
【図９】本発明のパンツ型使い捨ておむつの製造方法の他の例を概念的に示した平面図である。
【発明を実施するための形態】
【００１５】
次に本発明を実施するための形態を図面を参照しながら詳細に説明する。本発明は以下の実施形態に限定されるものではなく、本発明の趣旨を逸脱しない範囲で、当業者の通常の知識に基づいて、適宜設計の変更、改良等が加えられることが理解されるべきである。
【００１６】
［実施形態１］
本発明のパンツ型使い捨ておむつの実施形態１は、前身頃、股下部及び後身頃の各部から構成され、前身頃を構成する前身頃シート、後身頃を構成する後身頃シート、及び吸収性本体を備えたパンツ型使い捨ておむつである。なお、本明細書において「パンツ型使い捨ておむつ」というときは、おむつを構成する前身頃と後身頃の対応する側縁部同士を接合することによって、一つのウエスト周り開口部及び一対の脚周り開口部が形成され、予めパンツ型に構成されたおむつを意味するものとする。特に、実施形態１のパンツ型使い捨ておむつは、前身頃シートと後身頃シートの側縁部同士、及び前身頃シートと後身頃シートの股下下端部の一部同士が、それぞれ接合されることによって、一つのウエスト周り開口部、及び一対の脚周り開口部が形成されたものである。
【００１７】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。また、本明細書において、パンツ型使い捨ておむつの一対の脚周り開口部が形成された側を、「股下側」といい、パンツ型使い捨ておむつの一つのウエスト周り開口部が形成された側を、「股上側」ということがある。
【００１８】
実施形態１のパンツ型使い捨ておむつにおいて、吸収性本体は、当該吸収性本体の股下相当部が、前身頃シートと後身頃シートの股下下端部同士の接合部位よりもウエスト周り開口部寄り（即ち、股上側）に位置し、吸収性本体の股下相当部と、股下下端部同士の接合部位とが接触しないように配置されている。そして、この吸収性本体は、吸収性本体の前身頃側の一部が、前身頃シートの肌当接面側に接合され、且つ、吸収性本体の後身頃側の一部が、後身頃シートの肌当接面側に接合されている。
【００１９】
このため、実施形態１のパンツ型使い捨ておむつは、着用者が着用した際に、吸収性本体の股下相当部が、着用者の股下部位に当接した状態で、前身頃シートと後身頃シートの股下側に形成される一対の脚周り開口部が、着用者の太もも部位に配置されることとなる。したがって、着用者が、歩行や脚の曲げ伸ばしなどの、股関節が大きく動く動作を行った場合においても、着用者の鼠蹊部に隙間ができにくく、股下部からの漏れを有効に防止することができる。また、車椅子などを使用して座位姿勢が長時間続く場合などには、着用者の身体がずり下がる（不良な座位姿勢となる）ことで、おむつが腹側に逆にずり上がってしまうことがある。ただし、実施形態１のパンツ型使い捨ておむつは、前身頃シートと後身頃シートの股下側に、着用者の脚周りを覆う部分が形成されるため、おむつがずり上がってしまうことがあっても、着用者の下側臀部が露出してしまうような事態が生じ難い。このため、座位姿勢が長時間続くような着用者においても、股下部からの漏れを有効に防止することができる。更に、実施形態１のパンツ型使い捨ておむつは、太ももの裏側を覆う部位が捲れ上がり難いため、良好な着用感を実現することができる。
【００２０】
以下、実施形態１のパンツ型使い捨ておむつについて、図面を用いて更に詳細に説明する。図１は、本発明のパンツ型使い捨ておむつの実施形態１を模式的に示す平面図である。図２は、本発明のパンツ型使い捨ておむつの実施形態１を模式的に示す斜視図である。図３は、図２のＡ−Ａ’断面を模式的に示す断面図である。
【００２１】
図１〜図３に示すように、パンツ型使い捨ておむつ１００は、前身頃２、股下部４及び後身頃６の各部から構成され、前身頃２を構成する前身頃シート３２、後身頃６を構成する後身頃シート３６、及び吸収性本体１４を備えたものである。前身頃シート３２及び後身頃シート３６は、パンツ型使い捨ておむつ１００において、着用者の身体を被包する機能（装着機能）を担う外装部材１６を構成するものである。パンツ型使い捨ておむつ１００においては、この外装部材１６（前身頃シート３２及び後身頃シート３６）の内側に吸収性本体１４が配置されたものである。
【００２２】
吸収性本体１４は、排泄物吸収用の吸収体２２と、吸収体２２の表面を被覆するように配置された、少なくとも一部が液透過性材料からなるトップシート１８と、吸収体２２の裏面を被覆するように配置された、液不透過性材料からなるバックシート２０とを有するものである。
【００２３】
パンツ型使い捨ておむつ１００は、前身頃シート３２と後身頃シート３６の側縁部同士が接合されて、パンツ型使い捨ておむつ１００の両側縁に、側縁接合部８ａ，８ａが形成されている。また、このパンツ型使い捨ておむつ１００は、前身頃シート３２と後身頃シート３６の股下下端部の一部同士が接合されて、パンツ型使い捨ておむつ１００の股下部４に、股下接合部８ｂが形成されている。そして、上述したように、前身頃シート３２と後身頃シート３６の側縁部同士及び股下下端部の一部同士が、それぞれ接合されることによって、一つのウエスト周り開口部１０、及び一対の脚周り開口部１２（１２ａ，１２ｂ）が形成されている。
【００２４】
なお、前身頃シート３２及び後身頃シート３６の股下下端部とは、パンツ型使い捨ておむつ１００を着用した状態において、少なくとも着用者の股下を覆う部分を構成する前身頃シート３２及び後身頃シート３６の端部のことである。また、上述したように、前身頃シート３２及び後身頃シート３６のウエスト周り開口部１０が形成される端部については、股上上端部ということがある。
【００２５】
吸収性本体１４は、当該吸収性本体１４の股下相当部が、前身頃シート３２と後身頃シート３６の股下下端部同士の接合部位（即ち、股下接合部８ｂ）よりも、ウエスト周り開口部１０寄り（即ち、股上側）に位置し、吸収性本体１４の股下相当部と、股下下端部同士の接合部位（股下接合部８ｂ）とが接触しないように配置されている。吸収性本体１４の股下相当部とは、図１に示すように、パンツ型使い捨ておむつ１００を平置きにした場合、及びパンツ型使い捨ておむつ１００を着用した場合において、着用者の股下と接触する部位のことをいう。この吸収性本体１４の股下相当部は、パンツ型使い捨ておむつ１００を着用し、着用者が起立した状態において、最も股下側に位置する部位であることが好ましい。吸収性本体１４は、吸収性本体１４の前身頃側の一部が、前身頃シート３２の肌当接面側に接合され、且つ、吸収性本体１４の後身頃側の一部が、後身頃シート３６の肌当接面側に接合されている。このため、実施形態１のパンツ型使い捨ておむつ１００においては、吸収性本体１４の股下相当部よりも更に股下側に、前身頃シート３２と後身頃シート３６が存在することとなり、この吸収性本体１４の股下相当部よりも更に股下側のシートによって、着用者の太ももの一部が覆われるようになる。したがって、着用者の鼠蹊部に隙間ができにくく、パンツ型使い捨ておむつ１００の股下部４からの漏れを有効に防止することができる。更に、太ももの裏側を覆う部位が捲れ上がり難いため、良好な着用感を実現することができる。
【００２６】
前身頃シート３２と後身頃シート３６の股下下端部同士の接合部位には、股下下端部の端縁から股上側に向かってスリット又は切り欠き部が形成されていることが好ましい。図１及び図２に示すパンツ型使い捨ておむつ１００においては、前身頃シート３２と後身頃シート３６の股下下端部同士の接合部位に、スリット３７が形成されている。そして、前身頃シート３２及び後身頃シート３６の下端が股下部４より下方まで延出されて、一対の脚周り被覆部２４（２４ａ，２４ｂ）が形成されている、別言すれば、パンツ型使い捨ておむつ１００においては、上述したスリット３７の周縁に沿って、前身頃シート３２と後身頃シート３６の股下下端部同士が接合されることによって、一対の脚周り被覆部２４（２４ａ，２４ｂ）が形成されている。このように、スリット３７の長さに相当する部分に、着用者の太ももを被覆する脚周り被覆部２４が形成される。パンツ型使い捨ておむつ１００は、股下部４よりも更に股下側に延設された脚周り被覆部２４が形成されているため、股下部４に隙間ができ難く、股下部４からの漏れを有効に防止することができる。また、従来のパンツ型使い捨ておむつにおいては、脚周り開口部周辺のシートが、着用者の脚の付根側に捲れ上がってしまうと、捲れ上がった部位に段差ができて、太ももの裏側に違和感や痛みを生じることがある。実施形態１のパンツ型使い捨ておむつ１００においては、着用者の太ももを被覆する脚周り被覆部２４が形成されているため、従来のパンツ型使い捨ておむつに比して、脚周り開口部１２周辺（即ち、脚周り被覆部２４）が捲れ上がり難くなっている。
【００２７】
吸収性本体１４は、吸収性本体１４の股下相当部と、股下下端部同士の接合部位（股下接合部８ｂ）とが接触しないように配置されていれば、その間隔については特に制限はない。すなわち、吸収性本体１４の股下相当部と、股下接合部８ｂとが離間した状態であればよい。実施形態１のパンツ型使い捨ておむつ１００においては、吸収性本体１４の股下相当部と、股下下端部同士の接合部位（股下接合部８ｂ）との間隔Ｔが、５ｍｍ以上であることが好ましい。間隔Ｔを５ｍｍ以上とすることで、脚周り開口部に隙間ができ難くなり、股下部からの漏れを有効に防止することができる。また、間隔Ｔが大きくなりすぎると、着用者の実際の股下位置から、パンツ型使い捨ておむつ１００の股下接合部８ｂまでの距離が長くなり、着用感が低下することがある。したがって、上記間隔Ｔは、５〜１５０ｍｍであることが更に好ましく、１０〜５０ｍｍであることが特に好ましい。なお、間隔Ｔは、パンツ型使い捨ておむつ１００を平置きにし、股下側から股上側に向かう方向における、吸収性本体１４の股下相当部と、股下接合部８ｂとの最短距離とする。
【００２８】
前身頃シート３２及び後身頃シート３６の、吸収性本体１４の股下相当部よりも股下側の領域には、複数の伸縮材（例えば、脚周り伸縮材４０）が、前身頃シート３２及び後身頃シート３６の一方の側縁から他方の側縁に向かう方向に沿って伸張状態で配置されていてもよい。そして、一対の脚周り被覆部２４ａ，２４ｂが形成される領域に配置される伸縮材による伸縮力が、一対の脚周り被覆部２４ａ，２４ｂよりも股上側の領域に配置される伸縮材（例えば、ウエスト周り伸縮材４２，腹周り伸縮材４４）による伸縮力よりも大であることが好ましい。更に、一対の脚周り被覆部２４ａ，２４ｂが形成される領域に複数の伸縮材（脚周り伸縮材４０）が配置されている場合には、一対の脚周り被覆部２４ａ，２４において、一対の脚周り開口部１２ａ，１２ｂに近い側の伸縮材（脚周り伸縮材４０）の伸縮力がより大きいことが好ましい。
【００２９】
なお、特に限定されることはないが、例えば、腹周り伸縮材４４による伸縮力を１００％とした場合に、脚周り伸縮材４０の伸縮力が、１０５〜２００％であることが好ましく、１０５〜１５０％であることが更に好ましく、１０５〜１２０％であることが特に好ましい。このように構成することによって、一対の脚周り被覆部２４ａ，２４ｂのフィット性が向上し、股下部からの漏れがより生じにくくなる。また、一対の脚周り開口部１２ａ，１２ｂに遠い側の脚周り伸縮材４０の伸縮力を１００％とした場合に、一対の脚周り開口部１２ａ，１２ｂに近い側の脚周り伸縮材４０の伸縮力が、１０５〜２００％が好ましく、１０５〜１５０％が更に好ましく、１０５〜１２０％が特に好ましい。このように構成することによって、一対の脚周り被覆部２４ａ，２４ｂの各脚周り開口部１２ａ，１２ｂ側が、より窄まった形状となり、フィット性が向上し、股下部からの漏れがより生じにくくなる。また、おむつのずれ落ちを有効に防止することが可能となる。
【００３０】
以下、実施形態１のパンツ型使い捨ておむつについて、各構成要素ごとに更に詳細に説明する。
【００３１】
（１−１）前身頃シート及び後身頃シート：
前身頃シート３２及び後身頃シート３６は、前身頃２、股下部４及び後身頃６の各部を形成するシート状の部材であり、実施形態１のパンツ型使い捨ておむつ１００においては、着用者の身体を被包するための装着機能を担う外装部材１６となる。
【００３２】
パンツ型使い捨ておむつ１００においては、着用者の排泄物を吸収し、保持する吸収・保持機能については、専ら吸収性本体が果たすことになるので、前身頃シート３２及び後身頃シート３６を構成する材料として液不透過性材料を用いる必要はない。パンツ型使い捨ておむつ１００においては、前身頃シート３２及び後身頃シート３６は不織布により構成することが好ましい。不織布の種類は特に限定されないが、例えば、ポリオレフィン（ポリエチレン、ポリプロピレン等）、ポリエステル、脂肪族ポリアミド（いわゆるナイロン）、その他の熱可塑性樹脂からなる合成繊維によって構成された不織布等を挙げることができる。また、伸縮性不織布などを用いてもよい。
【００３３】
そして、前身頃シート３２及び後身頃シート３６は、伸縮材（例えば、脚周り伸縮材４０、ウエスト周り伸縮材４２、腹周り伸縮材４４）を挟み込んだ状態で固定するために、２枚以上の不織布を貼り合わせて構成されていてもよい。例えば、図１〜図３に示すパンツ型使い捨ておむつ１００は、外装部材１６をインナーシート１６ａ、アウターシート１６ｂという２枚の不織布を貼り合わせて構成し、それらの不織布の間に脚周り伸縮材４０、ウエスト周り伸縮材４２及び腹周り伸縮材４４を挟み込み固定した例である。この例では、アウターシート１６ｂの一部が折り返され、その折り返し部分に挟み込まれた押さえシート２８によって、吸収性本体１４の前端及び後端を被覆する構成となっている。このような構成は、万が一、吸収性本体１４の前端ないし後端から尿や軟便が染み出した場合であっても、おむつ外部への漏れを防止することができるため好ましい。
【００３４】
（１−１ａ）脚周り被覆部：
本明細書にいう「脚周り被覆部」とは、着用者の脚周りの一部を被覆する部分であって、おむつの股下部より下方に形成された部分を意味し、前身頃及び後身頃の下端が股下部より下方まで延出されて形成される。実施形態１のパンツ型使い捨ておむつにおいては、前身頃、股下部及び後身頃の各部は、不織布からなる外装部材（前身頃シート及び後身頃シート）によって形成されるので、脚周り被覆部もこの外装部材の一部によって形成される。
【００３５】
（１−２）吸収性本体：
吸収性本体１４は、複数のシートが吸収体２２を挟持した状態で積層されたものである。実施形態１のパンツ型使い捨ておむつ１００においては、トップシート１８とバックシート２０とが吸収体２２を挟持した状態で積層された吸収性本体１４を備えている。すなわち、吸収体２２は、着用者の肌に当接する面（肌当接面）側から液透過性のトップシート１８によって被覆され、反対側の肌非当接面側から液不透過性のバックシート２０によって被覆されている。したがって、尿などの液体は、トップシート１８を透過して、吸収体２２に吸収保持され、液透過性のバックシート２０によって外部への漏出が阻止される。
【００３６】
（１−３）吸収体：
吸収体２２は、着用者の尿を吸収し保持するための部材である。吸収体２２は、着用者の尿や体液を吸収し保持するために、吸収性材料によって構成される。吸収性材料としては、例えば、フラッフパルプ、高吸水性ポリマー（Ｓｕｐｅｒ  Ａｂｓｏｒｂｅｎｔ  Ｐｏｌｙｍｅｒ；「ＳＡＰ」）、親水性シート等を採用することができる。フラッフパルプの例は、木材パルプや非木材パルプを綿状に解繊したものである。高吸水性ポリマーの例は、ポリアクリル酸ナトリウムである。親水性シートとしては、例えば、ティシュ、吸収紙、親水化処理を行った不織布を用いることができる。
【００３７】
吸収体２２は、トップシート１８とバックシート２０の間に挟み込まれ、両シートの周縁部が封着されることによって、トップシート１８とバックシート２０との間に封入される。吸収体２２の形状については特に制限はなく、例えば、矩形状、ひょうたん型、Ｔ字型とすることができる。
【００３８】
（１−４）トップシート：
トップシート１８は、吸収体２２の肌当接面側を被覆するように配置される液透過性のシートである。トップシート１８は、尿などの液体を、その下面側に配置された吸収体２２に浸透させる。
【００３９】
トップシート１８を構成する液透過性材料として、例えば、織布、不織布、多孔性フィルを採用することができる。特に、ポリプロピレン、ポリエチレン、ポリエステル、ナイロンのような熱可塑性樹脂からなる不織布に親水化処理を施したものを用いることが好ましい。トップシート１８は、単一のシート材によって構成されていてもよいが、複数のシート材によって構成されていてもよい。
【００４０】
（１−５）バックシート：
バックシート２０は、吸収体２２を肌非当接面側から被覆するように配置される液不透過性のシートである。バックシート２０は、吸収体２２により保持されている液体が、吸収性本体の外部及びおむつの外部に漏洩してしまうことを防止する。
【００４１】
バックシート２０を構成する液不透過性材料としては、例えば、ポリエチレン等の樹脂からなる液不透過性フィルム等を採用することができる。特に、微多孔性ポリエチレンフィルムを用いることが好ましい。この微多孔性ポリエチレンフィルムは、０．１μｍ程度の微細な孔が多数形成されており、液不透過性ではあるが透湿性を有するためおむつ内部の蒸れを防止することができるという点において好ましい。
【００４２】
（１−６）立体ギャザー：
実施形態１のパンツ型使い捨ておむつは、着用者の排泄した尿の横漏れを防止するため、立体ギャザーを有してもよい。立体ギャザーは、着用者の排泄した尿の横漏れを防止するための部材であり、立体的に起立可能なように構成された防漏壁である。このような立体ギャザーを形成することにより、トップシートの上に尿が排泄され、トップシートを伝って尿が拡散してしまった場合でも、立体ギャザーが防波堤となり、おむつの脚周り開口部等からの漏れ（いわゆる「横漏れ」）を有効に防止することができる。
【００４３】
立体ギャザーの構成は、従来の使い捨ておむつ、その他の吸収性物品に使用される構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。本発明のパンツ型使い捨ておむつの場合、外装部材に立体ギャザーを直接付設する構成であってもよいが、横漏れを確実に防止するという観点から、吸収性本体の両側縁部に少なくとも一対の立体ギャザーを付設することが好ましい。
【００４４】
（１−７）各種伸縮材：
パンツ型使い捨ておむつにおいては、脚周り伸縮材を配置し、ウエスト周り伸縮材を配置してもよい。更に腹周り伸縮材を配置してもよい。
【００４５】
脚周り伸縮材は、脚周り開口部に沿って配置される伸縮材である。なお、本発明においては、脚周り被覆部に配置される伸縮材についても、脚周り伸縮材という。この脚周り伸縮材を配置することによって、脚周り開口部及び脚周り被覆部に伸縮性に富むギャザー（レグギャザー）を形成することができる。したがって、脚周りに隙間が形成され難くなり、脚周り開口部からの尿漏れを効果的に防止することができる。
【００４６】
脚周り伸縮材は、１本のみ配置されていてもよいし、複数配置されていてもよい。３本以上の脚周り伸縮材を配置する場合には、これらを均等な間隔で配置してもよいし、異なる間隔で配置してもよい。また、複数の脚周り伸縮材同士の間隔が変化するように配置してもよい。
【００４７】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００４８】
ウエスト周り伸縮材は、複数配置されていることが好ましいが、１本のみ配置されていてもよい。３本以上のウエスト周り伸縮材を配置する場合には、これらを均等な間隔で配置してもよいし、異なる間隔で配置してもよい。また、複数のウエスト周り伸縮材同士の間隔が変化するように配置してもよい。おむつの前身頃と後身頃で、本数、配置、伸長状態等が異なるようにウエスト周り伸縮材を配置してもよいが、均一な締め付け力を得るために、これらが概ね同じくなるようにウエスト周り伸縮材を配置することが好ましい。
【００４９】
腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むギャザー（タミーギャザー）を形成することができる。このタミーギャザーは、ウエストギャザーと相俟って、おむつのフィット性やずり下がり防止効果を一層優れたものとすることができる。
【００５０】
腹周り伸縮材は、複数配置されていることが好ましいが、１本のみ配置されていてもよい。３本以上の腹周り伸縮材を配置する場合には、これらを均等な間隔で配置してもよいし、異なる間隔で配置してもよい。また、複数の腹周り伸縮材同士の間隔が変化するように配置してもよい。例えば、おむつの中央部から側縁側に向かって間隔が広がるように腹周り伸縮材を配置すると、おむつの股下部や内腿側にはウエスト側に向かって引き上げるような張力が働くので、おむつのずり落ちを防止することができる。
【００５１】
伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００５２】
伸縮材は、十分な伸縮力を作用させるため、伸長状態で固定することが好ましい。例えば、伸縮材が天然ゴムや合成ゴムである場合には、１２０〜４００％の伸長状態で固定することが好ましく、２００〜３００％の伸長状態で固定することがより好ましい。このような範囲の伸長状態で固定することにより、十分な伸縮力を作用させ、かつ、ウエスト周り開口部や脚周り開口部が必要以上に縮小されるのを防止することができる。
【００５３】
［実施形態２］
以下、本発明のパンツ型使い捨ておむつの実施形態２について、図４を参照しつつ説明する。図４は、本発明のパンツ型使い捨ておむつの実施形態２を模式的に示す平面図である。実施形態２のパンツ型使い捨ておむつ２００は、前身頃シート３２と後身頃シート３６の股下下端部には、股下下端部の端縁から股上側に向かって切り欠き部３８が形成され、この切り欠き部３８の周縁に沿って、前身頃シート３２と後身頃シート３６の股下下端部同士が接合されることによって、一対の脚周り被覆部２４（２４ａ，２４ｂ）が形成されている。実施形態２のパンツ型使い捨ておむつ２００においては、上述した股下下端部同士の接合部位（股下接合部８ｂ）に切り欠き部３８が形成されていること以外は、これまでに説明した実施形態１の使い捨ておむつ１００と同様に構成されている。図４においては、図１に示す使い捨ておむつ１００と同様の構成要素には、同一の符号を付して説明を省略することがある。
【００５４】
図４に示す実施形態２のパンツ型使い捨ておむつ２００は、前身頃シート３２と後身頃シート３６の側縁部同士が接合されて、パンツ型使い捨ておむつ２００の両側縁に、側縁接合部８ａ，８ａが形成されている。また、このパンツ型使い捨ておむつ２００は、前身頃シート３２と後身頃シート３６の股下下端部が、上記切り欠き部３８の周縁に沿って接合されて、股下接合部８ｂが形成されている。前身頃シート３２と後身頃シート３６の側縁部同士及び股下下端部の一部同士が、それぞれ接合されることによって、一つのウエスト周り開口部１０、及び一対の脚周り開口部１２（１２ａ，１２ｂ）が形成されている。
【００５５】
吸収性本体１４は、当該吸収性本体１４の股下相当部が、前身頃シート３２と後身頃シート３６の股下下端部同士の接合部位（即ち、股下接合部８ｂ）よりも、ウエスト周り開口部１０寄り（即ち、股上側）に位置し、吸収性本体１４の股下相当部と、股下下端部同士の接合部位（股下接合部８ｂ）とが接触しないように配置されている。そして、この吸収性本体１４は、吸収性本体１４の前身頃側の一部が、前身頃シート３２の肌当接面側に接合され、且つ、吸収性本体１４の後身頃側の一部が、後身頃シート３６の肌当接面側に接合されている。したがって、実施形態２のパンツ型使い捨ておむつ２００においては、切り欠き部３８の両側に位置する前身頃シート３２及び後身頃シート３６によって、着用者の太ももを被覆する脚周り被覆部２４が形成される。したがって、股下部４に隙間ができ難く、股下部からの漏れを有効に防止することができる。
【００５６】
図４に示すパンツ型使い捨ておむつ２００において、前身頃シート３２と後身頃シート３６の股下下端部に形成された切り欠き部３８は、股下下端部の端縁から股上側に向かう方向に、切り欠き部３８の幅が狭くなるように形成されていることが好ましい。このように構成することによって、着用者の太ももを被覆する脚周り被覆部２４が、一対の脚周り開口部１２（１２ａ，１２ｂ）側にて窄まる形状となり、太もも周りにおけるフィット感を向上させることができる。また、おむつの着用時において、脚周り被覆部２４が捲れ上がり難くなり、股下部からの漏れを更に有効に防止することができる。また、脚周り被覆部２４にて段差ができ難くなるため、太ももの裏側に違和感や痛みも生じ難い。更に、このパンツ型使い捨ておむつ２００は、着用時におむつがずれ落ち難く、良好な着用状態を維持することができる。
【００５７】
［実施形態３］
以下、本発明のパンツ型使い捨ておむつの実施形態３について、図５を参照しつつ説明する。図５は、本発明のパンツ型使い捨ておむつの実施形態３を模式的に示す平面図である。実施形態３のパンツ型使い捨ておむつ３００は、前身頃シート３２と後身頃シート３６の股下下端部同士の接合部位（股下接合部８ｂ）には、股下下端部の端縁から股上側に向かって切り欠き部３８ａが形成されている。したがって、切り欠き部３８ａの周縁に沿って、前身頃シート３２と後身頃シート３６の股下下端部同士が接合されることによって、一対の脚周り被覆部２４（２４ａ，２４ｂ）が形成されている。実施形態３のパンツ型使い捨ておむつ３００においては、前身頃シート３２と後身頃シート３６の股下下端部同士が半円形状に接合され、この半円形状の股下接合部８ｂに、矩形の切り欠き部３８ａが形成されている。すなわち、本発明において、「股下接合部８ｂ」の形状と、「切り欠き部３８ａ」の形状とが一致していなくともよい。別言すれば、本発明において、「切り欠き部３８ａの周縁に沿って、前身頃シート３２と後身頃シート３６の股下下端部同士が接合される」という場合には、切り欠き部３８ａの周縁にて、前身頃シート３２と後身頃シート３６とが接合されていればよく、必ずしも、切り欠き部３８ａの形状と、股下接合部８ｂの形状が一致していなくともよい。実施形態３のパンツ型使い捨ておむつ３００は、上述したように、半円形状の股下接合部８ｂに、矩形の切り欠き部３８ａが形成されていること以外は、これまでに説明した実施形態１の使い捨ておむつ１００と同様に構成されている。図５においては、図１に示す使い捨ておむつ１００と同様の構成要素には、同一の符号を付して説明を省略することがある。
【００５８】
吸収性本体１４は、当該吸収性本体１４の股下相当部が、前身頃シート３２と後身頃シート３６の股下下端部同士の接合部位（即ち、股下接合部８ｂ）よりも、ウエスト周り開口部１０寄り（即ち、股上側）に位置し、吸収性本体１４の股下相当部と、股下下端部同士の接合部位（股下接合部８ｂ）とが接触しないように配置されている。そして、この吸収性本体１４は、吸収性本体１４の前身頃側の一部が、前身頃シート３２の肌当接面側に接合され、且つ、吸収性本体１４の後身頃側の一部が、後身頃シート３６の肌当接面側に接合されている。したがって、実施形態３のパンツ型使い捨ておむつ３００においては、切り欠き部３８ａの両側に位置する前身頃シート３２及び後身頃シート３６によって、着用者の太ももを被覆する脚周り被覆部２４が形成される。このため、股下部４に隙間ができ難く、股下部からの漏れを有効に防止することができる。また、実施形態３のパンツ型使い捨ておむつ３００においては、半円形状の股下接合部８ｂに、矩形の切り欠き部３８ａが形成されているため、特に、太もも内側における着用感に優れている。
【００５９】
［実施形態４］
以下、本発明のパンツ型使い捨ておむつの実施形態４について、図６を参照しつつ説明する。図６は、本発明のパンツ型使い捨ておむつの実施形態４を模式的に示す平面図である。実施形態４のパンツ型使い捨ておむつ４００は、これまでに説明したパンツ型使い捨ておむつよりも、前身頃シート３２と後身頃シート３６の股下側の丈が長くなっている。前身頃シート３２と後身頃シート３６の股下下端部同士の接合部位には、股下下端部の端縁から股上側に向かってスリット３７ａが形成されている。このスリット３７ａの周縁に沿って、前身頃シート３２と後身頃シート３６の股下下端部同士が接合されることによって、一対の脚周り被覆部２４Ｌ（２４Ｌａ，２４Ｌｂ）が形成されている。実施形態４のパンツ型使い捨ておむつ４００は、脚周り被覆部２４Ｌ（２４Ｌａ，２４Ｌｂ）の股下丈が長く、太もも部分をより広く覆うことができる。脚周り被覆部２４Ｌ（２４Ｌａ，２４Ｌｂ）の股下丈の長さについては特に制限はなく、適宜選択することができる。例えば、所謂、一分丈や三分丈のような脚周り被覆部２４Ｌとしてもよいし、着用者の膝までを覆うような脚周り被覆部２４Ｌとしてもよい。実施形態４のパンツ型使い捨ておむつ４００は、上述したように、股下丈が長い脚周り被覆部２４Ｌが形成されている以外は、これまでに説明した実施形態１の使い捨ておむつ１００と同様に構成されている。図６においては、図１に示す使い捨ておむつ１００と同様の構成要素には、同一の符号を付して説明を省略することがある。
【００６０】
実施形態４のパンツ型使い捨ておむつ４００においても、吸収性本体１４は、当該吸収性本体１４の股下相当部が、前身頃シート３２と後身頃シート３６の股下下端部同士の接合部位（即ち、股下接合部８ｂ）よりも、ウエスト周り開口部１０寄り（即ち、股上側）に位置し、吸収性本体１４の股下相当部と、股下下端部同士の接合部位（股下接合部８ｂ）とが接触しないように配置されている。そして、この吸収性本体１４は、吸収性本体１４の前身頃側の一部が、前身頃シート３２の肌当接面側に接合され、且つ、吸収性本体１４の後身頃側の一部が、後身頃シート３６の肌当接面側に接合されている。
【００６１】
［実施形態５］
以下、本発明のパンツ型使い捨ておむつの実施形態５について、図７を参照しつつ説明する。図７は、本発明のパンツ型使い捨ておむつの実施形態５を模式的に示す平面図である。実施形態５のパンツ型使い捨ておむつ５００は、前身頃シート３２と後身頃シート３６の股下下端部同士の接合部位には、股下下端部の端縁から股上側に向かって切り欠き部３８が形成されている。この切り欠き部３８の周縁に沿って、前身頃シート３２と後身頃シート３６の股下下端部同士が接合されることによって、一対の脚周り被覆部２４（２４ａ，２４ｂ）が形成されている。また、このパンツ型使い捨ておむつ５００においては、前身頃シート３２と後身頃シート３６の一対の脚周り被覆部２４（２４ａ，２４ｂ）が形成された部位の両側縁側に、側縁切り欠き部３９が形成されている。そして、前身頃シート３２と後身頃シート３６の、上記側縁切り欠き部３９の側縁を含む側縁部同士が接合されて、パンツ型使い捨ておむつ５００の両側縁に、側縁接合部８ａ，８ａが形成されている。実施形態５のパンツ型使い捨ておむつ５００においては、側縁切り欠き部３９が形成されていること以外は、これまでに説明した実施形態２の使い捨ておむつ２００（図４参照）と同様に構成されている。図７においては、図４に示す使い捨ておむつ２００と同様の構成要素には、同一の符号を付して説明を省略することがある。
【００６２】
吸収性本体１４は、当該吸収性本体１４の股下相当部が、前身頃シート３２と後身頃シート３６の股下下端部同士の接合部位（即ち、股下接合部８ｂ）よりも、ウエスト周り開口部１０寄り（即ち、股上側）に位置し、吸収性本体１４の股下相当部と、股下下端部同士の接合部位（股下接合部８ｂ）とが接触しないように配置されている。そして、この吸収性本体１４は、吸収性本体１４の前身頃側の一部が、前身頃シート３２の肌当接面側に接合され、且つ、吸収性本体１４の後身頃側の一部が、後身頃シート３６の肌当接面側に接合されている。
【００６３】
パンツ型使い捨ておむつ５００においては、パンツ型使い捨ておむつ５００の両側縁に、側縁接合部８ａ，８ａが形成されることによって、着用者の太ももを被覆する脚周り被覆部２４が、一対の脚周り開口部１２（１２ａ，１２ｂ）側にて窄まる形状となり、太もも周りにおけるフィット感を向上させることができる。また、おむつの着用時において、脚周り被覆部２４が捲れ上がり難くなり、股下部からの漏れを更に有効に防止することができる。また、脚周り被覆部２４にて段差ができ難くなるため、太ももの裏側に違和感や痛みも生じ難い。更に、このパンツ型使い捨ておむつ５００は、着用時におむつがずれ落ち難く、良好な着用状態を維持することができる。
【００６４】
［パンツ型使い捨ておむつの製造方法］
次に、本発明のパンツ型使い捨ておむつの製造方法について説明する。以下、これまでに説明した実施形態１のパンツ型使い捨ておむつの製造方法について説明する。図８は、本発明のパンツ型使い捨ておむつの製造方法の一例を概念的に示した平面図である。
【００６５】
図８に示すように、ステップＡ１として、前身頃シートの連続体１３２と後身頃シートの連続体１３６とが、公知の方法により作製される。前身頃シートの連続体１３２は、個々の前身頃シート３２が、個別のパンツ型使い捨ておむつ１００になったときの幅方向に連続したものである。また、後身頃シートの連続体１３６は、個々の後身頃シート３６が、個別のパンツ型使い捨ておむつ１００になったときの幅方向に連続したものである。例えば、前身頃シートの連続体１３２は、パンツ型使い捨ておむつ１００の外側の層を構成するアウターシートと、このアウターシートの内側に配置されるインナーシートとの間に、複数の弾性伸縮部材を伸長状態で固定することにより作製可能である。同様に、後身頃シートの連続体１３６は、パンツ型使い捨ておむつ１００の外側の層を構成するアウターシートと、このアウターシートの内側に配置されるインナーシートとの間に、複数の弾性伸縮部材を伸長状態で固定することにより作製可能である。例えば、前身頃シートの連続体１３２及び後身頃シートの連続体１３６のそれぞれは、長尺の伸縮性不織布などを用いてもよい。
【００６６】
図８に示されるように、前身頃シートの連続体１３２と後身頃シートの連続体１３６は、その長尺方向（個別のパンツ型使い捨ておむつ１００になったときの幅方向）を流れ方向として、公知の搬送装置によって搬送される。図８において、前身頃シートの連続体１３２と後身頃シートの連続体１３６の流れ方向は、矢印によって示されている。
【００６７】
他方、ステップＡ２として、前身頃シートの連続体１３２及び後身頃シートの連続体１３６の製造ラインとは別の製造ラインにおいて、吸収性本体１４が製造される。吸収性本体１４の製造ラインでは、まず、公知の方法に従って、吸収性本体の連続体１１４を作製する。図８に示されるように、吸収性本体１４の連続体１１４は、個々の吸収性本体１４が、個別のパンツ型使い捨ておむつ１００になったときの長さ方向に連続した状態のものである。吸収性本体１４の構成部材としては、公知のものを採用できる。例えば、吸収性本体１４は、少なくとも、液透過性のトップシートと、液不透過性のバックシートの間に、液体を吸収し保持することが可能な吸収体を介在させればよい。また、吸収性本体１４は、その幅方向の左右両側に立体ギャザーを備えるものであってもよい。
【００６８】
図８に示されるように、吸収性本体の連続体１１４は、その長尺方向（個別のパンツ型使い捨ておむつになったときの長さ方向）を流れ方向として、公知の搬送装置によって搬送される。次に、吸収性本体の連続体１１４を切断し、個別の吸収性本体１４に分離する。切断装置としては、公知のものを用いればよい。以上説明した吸収性本体１４の作製方法については、従来公知のパンツ型使い捨ておむつの製造方法における吸収性本体１４の作製方法に準じて行うことができる。
【００６９】
その後、個別の吸収性本体１４の向きを約９０度回転させる。これは、上述した前身頃シートの連続体１３２と後身頃シートの連続体１３６の流れ方向と、個別の吸収性本体１４の流れ方向を揃えるためである。すなわち、吸収性本体１４は、個別のパンツ型使い捨ておむつになったときの長さ方向を流れ方向として搬送されるものであったが、このようにして向きを変えることで、個別のパンツ型使い捨ておむつ１００になったときの幅方向が流れ方向となる。これにより、個別の吸収性本体１４の流れ方向が、前身頃シートの連続体１３２と後身頃シートの連続体１３６の流れ方向に一致する。
【００７０】
次に、ステップＡ３として、後身頃シートの連続体１３６の肌当接面と、吸収性本体１４の一方の端部と、を重ね合わせて接合する。図８においては、吸収性本体１４の裏面側に接着剤１５０を塗布し、後身頃シートの連続体１３６の肌当接面と、吸収性本体１４の一方の端部と、を重ね合わせて接合している。接着剤１５０としては、例えば、ホットメルト接着剤や、その他流動性のある接着剤を用いることができる。なお、図８においては、ステップＡ３にて、吸収性本体１４と後身頃シートの連続体１３６とを接合し、後述する、ステップＡ５にて、収性本体１４と、前身頃シートの連続体１３２とを接合する場合の例を示しているが、例えば、ステップＡ３にて、前身頃シートの連続体１３２と吸収性本体１４とを接合し、その後、ステップＡ５にて、収性本体１４と、後身頃シートの連続体１３６とを接合してもよい。また、前身頃シートの連続体１３２及び後身頃シートの連続体１３６の肌当接面に接着剤を塗布して、吸収性本体１４を接合してもよい。なお、このステップＡ３においては、後述するステップＡ４にて、吸収性本体１４を折り畳んだ場合に、後身頃シートの連続体１３６から、折り畳んだ吸収性本体１４がはみ出さないような位置に、吸収性本体１４を配置して接合することが好ましい。
【００７１】
次に、ステップＡ４として、後身頃シートの連続体１３６に接合した吸収性本体１４を、吸収性本体１４の肌当接面が内側となるように、パンツ型使い捨ておむつ１００の長さ方向に折り畳む。吸収性本体１４を折り畳む位置（すなわち、折り目の位置）については、吸収性本体１４の、パンツ型使い捨ておむつ１００の長さ方向の中央部分であってもよいし、吸収性本体１４の一方の端部側又は他方の端部側に折り目の位置をずらしてもよい。ただし、折り畳んだ吸収性本体１４が、後身頃シートの連続体１３６からはみ出さないようにする。すなわち、吸収性本体１４の折り目が、後身頃シートの連続体１３６の長手方向における側縁からはみ出さないようにする。
【００７２】
次に、ステップＡ５として、前身頃シートの連続体１３２の肌当接面と、折り畳んだ吸収性本体１４の他方の端部と、を重ね合わせて接合する。このステップＡ５により、吸収性本体１４の片側の端部が、前身頃シートの連続体１３２と接合され、吸収性本体１４のもう片側の端部が、後身頃シートの連続体１３６と接合される。
【００７３】
次に、ステップＡ６として、前身頃シートの連続体１３２と後身頃シートの連続体１３６を重ね合わせた状態で、個別のパンツ型使い捨ておむつ１００になったときの股下下端部に、股下接合部１０８ｂを形成する。股下接合部１０８ｂは、例えば、ヒートシール接合や、超音波シール接合によって形成することができる。
【００７４】
次に、ステップＡ７として、前身頃シートの連続体１３２と後身頃シートの連続体１３６との股下下端部同士を接合した股下接合部１０８ｂに、スリット１３７を形成する。これにより、スリット１３７に沿って、前身頃シートの連続体１３２と後身頃シートの連続体１３６との股下下端部同士が接合された状態となる。
【００７５】
次に、ステップＡ８として、前身頃シートの連続体１３２と後身頃シートの連続体１３６を重ね合わせた状態で、個別のパンツ型使い捨ておむつ１００になったときの幅方向の左右両端部に相当する位置に、一対の側縁接合部１０８ａを形成する。側縁接合部１０８ａは、前身頃シートの連続体１３２と後身頃シートの連続体１３６の一部を接合するためのものであり、側縁接合部１０８ａは、個別のパンツ型使い捨ておむつ１００になったときの長さ方向に延びて形成される。このようにして、前身頃シート３２（前身頃シートの連続体１３２）及び後身頃シート３６（後身頃シートの連続体１３６）が、側縁接合部１０８ａにおいて互いに接合されて環状に繋がる。側縁接合部１０８ａを形成する手段としては、公知の接合方法を用いることができる。例えば、ヒートシール接合や、超音波シール接合によって、側縁接合部１０８ａを形成すればよい。
【００７６】
次に、ステップＡ９として、重なった状態の前身頃シートの連続体１３２と後身頃シートの連続体１３６を流れ方向と直交する方向に切断する。このときの切断位置は、隣接する側縁接合部１０８ａの間の位置である。これにより、個別の前身頃シート３２と、個別の後身頃シート３８と、個別の吸収性本体１４を有するパンツ型使い捨ておむつ１００が得られる。なお、図８に示すパンツ型使い捨ておむつの製造方法は、実施形態１のパンツ型使い捨ておむつ１００を製造する方法の一例であり、これまでに説明した製造方法に限定されるものではない。
【００７７】
ここで、本発明のパンツ型使い捨ておむつの製造方法の他の例を、図９に示す。図９は、本発明のパンツ型使い捨ておむつの製造方法の他の例を概念的に示した平面図である。図９においては、図７に示す実施形態５のパンツ型使い捨ておむつ５００を製造する方法を示す。
【００７８】
図９に示すパンツ型使い捨ておむつの製造方法においては、まず、ステップＢ１として、前身頃シートの連続体１３２と後身頃シートの連続体１３６とが、公知の方法により作製される。次に、ステップＢ２として、前身頃シートの連続体１３２及び後身頃シートの連続体１３６の製造ラインとは別の製造ラインにおいて、吸収性本体１４が製造される。
【００７９】
次に、ステップＢ３として、後身頃シートの連続体１３６の肌当接面と、吸収性本体１４の一方の端部と、を重ね合わせて接合する。図９においては、吸収性本体１４の裏面側に接着剤１５０を塗布し、後身頃シートの連続体１３６の肌当接面と、吸収性本体１４の一方の端部と、を重ね合わせて接合している。次に、ステップＢ４として、後身頃シートの連続体１３６に接合した吸収性本体１４を、吸収性本体１４の肌当接面が内側となるように、パンツ型使い捨ておむつ５００の長さ方向に折り畳む。吸収性本体１４を折り畳む位置（すなわち、折り目の位置）については、吸収性本体１４の、パンツ型使い捨ておむつ５００の長さ方向の中央部分であってもよいし、吸収性本体１４の一方の端部側又は他方の端部側に折り目の位置をずらしてもよい。ただし、折り畳んだ吸収性本体１４が、後身頃シートの連続体１３６からはみ出さないようにする。すなわち、吸収性本体１４の折り目が、後身頃シートの連続体１３６の長手方向における側縁からはみ出さないようにする。
【００８０】
次に、ステップＢ５として、前身頃シートの連続体１３２の肌当接面と、折り畳んだ吸収性本体１４の他方の端部と、を重ね合わせて接合する。このステップＢ５により、吸収性本体１４の片側の端部が、前身頃シートの連続体１３２と接合され、吸収性本体１４のもう片側の端部が、後身頃シートの連続体１３６と接合される。ここまでに説明したステップＢ１からステップＢ５の工程は、上述したステップＡ１からステップＡ５と同様の方法によって行うことができる。
【００８１】
次に、ステップＢ６として、前身頃シートの連続体１３２と後身頃シートの連続体１３６を重ね合わせた状態で、個別のパンツ型使い捨ておむつ５００になったときの股下下端部に、股下接合部２０８ｂを形成する。股下接合部２０８ｂは、例えば、ヒートシール接合や、超音波シール接合によって形成することができる。ステップＢ６では、股下接合部２０８ｂの形状が、後述するステップＢ７にて形成する切り欠き部２３８の形状に合わせて、三角形に形成している。
【００８２】
次に、ステップＢ７として、前身頃シートの連続体１３２と後身頃シートの連続体１３６との股下下端部同士を接合した股下接合部２０８ｂに、切り欠き部２３８を形成する。これにより、スリット１３７に沿って、前身頃シートの連続体１３２と後身頃シートの連続体１３６との股下下端部同士が接合された状態となる。また、このステップＢ７では、前身頃シートの連続体１３２と後身頃シートの連続体１３６を重ね合わせた状態で、個別のパンツ型使い捨ておむつ５００になったときの幅方向の左右両端部に相当する位置に、側縁接合部２０８ａを形成している。この側縁接合部２０８ａは、隣接する個別のパンツ型使い捨ておむつ５００の各側縁部分が一体化したものとなっている。また、この側縁接合部２０８ａは、接合部分の幅が、おむつの股下側で広くなっている。これは、後述するステップＢ８にて、側縁切り欠き部２３９を形成するためである。側縁接合部２０８ａを形成する手段としては、公知の接合方法を用いることができる。例えば、ヒートシール接合や、超音波シール接合によって、側縁接合部２０８ａを形成すればよい。
【００８３】
次に、ステップＢ８として、側縁接合部２０８ａの股下側を切り欠いて、側縁切り欠き部２３９を形成する。ステップＢ８においては、個別のパンツ型使い捨ておむつ５００の各側縁部分に所定の幅を有する側縁接合部８ａ，８ａが形成されるように、側縁接合部２０８ａの形成された範囲内に、側縁切り欠き部２３９を形成することが好ましい。
【００８４】
次に、ステップＢ９として、重なった状態の前身頃シートの連続体１３２と後身頃シートの連続体１３６を流れ方向と直交する方向に切断する。このときの切断位置は、側縁接合部２０８ａが形成されている位置とする。これにより、個別の前身頃シート３２と、個別の後身頃シート３８と、個別の吸収性本体１４を有するパンツ型使い捨ておむつ５００が得られる。
【００８５】
以上、本発明の実施形態を説明したが、本発明はこれらに限定されるものではなく、その要旨の範囲内で様々な変形や変更が可能である。
【産業上の利用可能性】
【００８６】
本発明は、例えば乳幼児用、或いは介護を必要とする高齢者や障害者のような成人用のパンツ型使い捨ておむつに適用することができる。したがって、本発明は、パンツ型使い捨ておむつの製造業や、育児産業、介護産業等において好適に利用し得る。
【符号の説明】
【００８７】
２：前身頃、４：股下部、６：後身頃、８ａ：側縁接合部、８ｂ：股下接合部、１０：ウエスト周り開口部、１２，１２ａ，１２ｂ：脚周り開口部、１４：吸収性本体、１６：外装部材、１６ａ：インナーシート、１６ｂ：アウターシート、１８：トップシート、２０：バックシート、２２：吸収体、２４，２４ａ，２４ｂ，２４Ｌ，２４Ｌａ，２４Ｌｂ：脚周り被覆部、２８：押さえシート、３２：前身頃シート、３６：後身頃シート、３７，３７ａ：スリット、３８，３８ａ：切り欠き部、３９：側縁切り欠き部、４０：脚周り伸縮材、４２：ウエスト周り伸縮材、４４：腹周り伸縮材、１００，２００，３００，４００：パンツ型使い捨ておむつ、１０８ａ，２０８ａ：側縁接合部、１０８ｂ，２０８ｂ：股下接合部、１１４：吸収性本体の連続体、１３２：前身頃シートの連続体、３６：後身頃シートの連続体、１３７：スリット、１５０：接着剤、２３８：切り欠き部、２３９：側縁切り欠き部。
【図１】
2014188109.tif 000003
【図２】
2014188109.tif 000004
【図３】
2014188109.tif 000005
【図４】
2014188109.tif 000006
【図５】
2014188109.tif 000007
【図６】
2014188109.tif 000008
【図７】
2014188109.tif 000009
【図８】
2014188109.tif 000010
【図９】
2014188109.tif 000011